(57)【要約】【課題】映像表示装置において、制御手段に誤動作があった場合でも、誤って照明手段に電力が供給されることを確実に回避できるようにする。【解決手段】ＣＰＵ１１０が出力するバラスト制御信号は、ランプバラストユニット４００には直接入力されず、ＡＮＤ回路１５３に入力される（監視結果Ｃ）。また、ＡＮＤ回路１５３には、ＮＡＮＤ回路１５１から、第１および第２検出スイッチ２０１，２０２の検出結果に基づく、ミラーの状態の検出結果（監視結果Ａ）が、そして、ＮＡＮＤ回路１５２から、ＣＰＵ１１０がリレーユニット３００に出力する第１リレー３０１と第２リレー３０２の開閉制御用信号の内容（監視結果Ｂ）が、入力される。ＡＮＤ回路１５３は、入力される監視結果Ａ〜監視結果Ｃの全てがリレーユニット３００への電力供給に適切なものである場合にのみ、ランプバラストユニット４００に対し当該電力供給を指示する。【選択図】図２
2010134251.tif 000002
【特許請求の範囲】
【請求項１】
照明手段と、
前記照明手段に電力を供給する電源部と、
前記電源部から前記照明手段への電力の供給態様を制御する制御手段と、
前記制御手段と独立した制御系統を構成し、前記照明手段への電力の供給の条件となる部材の状態を検出する検出手段と、
前記制御手段から、前記電源部に前記照明手段へ電力を供給させるための信号が出力された場合、前記検出手段の検出出力が、前記部材の状態が前記条件を満たすものであると判断したときに、前記照明手段への電力の供給を許可する許可手段とを備える、映像表示装置。
【請求項２】
前記電源部と前記照明手段の間の電気回路の開閉状態を切換えるリレーをさらに備え、
前記検出手段は、前記制御手段から前記リレーを閉状態にする信号が出力されているか否かを検出し、
前記許可手段は、前記電源部に前記照明手段へ電力を供給させるための信号が出力された場合に、前記検出手段が前記制御手段から前記リレーを閉状態にする信号が出力されていることを検出したことを条件として、前記電源部から前記照明手段への電力の供給を許可する、請求項１に記載の映像表示装置。
【請求項３】
前記照明手段が発する光を外部へ送る光学系部材をさらに備え、
前記検出手段は、前記光学系部材が、前記照明手段の発する光を外部へ送るために適切な状態となったことか否かを判断し、
前記許可手段は、さらに、前記光学系部材が前記適切な状態になったことを検出したことを条件として、前記電源部から前記照明手段への電力の供給を許可する、請求項２に記載の映像表示装置。
【請求項４】
前記リレーは、前記光学系部材が前記適切な状態となったことを条件として、前記電気回路の閉状態を維持するための電力を供給される、請求項３に記載の映像表示装置。
【請求項５】
照明手段と、前記照明手段に電力を供給する電源部と、前記電源部から前記照明手段への電力の供給態様を制御する制御手段とを備えた映像表示装置の制御方法であって、
前記制御手段から、前記電源部に前記照明手段へ電力を供給させるための信号が出力されたか否かを判断するステップと、
前記制御手段と独立した制御系統によって、前記照明手段への電力の供給の条件となる部材の状態を検出するステップと、
前記制御手段から前記電源部に前記照明手段へ電力を供給させるための信号が出力された場合、前記部材の状態が前記条件を満たしたときに、前記電源部から前記照明手段へ電力を供給するステップとを備える、映像表示装置の制御方法。
【発明の詳細な説明】
【技術分野】
【０００１】
本発明は、映像表示装置に関し、特に、照明手段への電力供給の制御の安全性を向上させて映像表示装置およびその制御方法に関する。
【背景技術】
【０００２】
プロジェクタ等の映像表示装置において、ランプ等の照明手段には比較的高い電圧での電力供給が必要とされている。このような理由などから、従来より、照明手段の点灯／消灯のための制御に関し、種々の技術が開示されてきた。
【０００３】
たとえば、特許文献１（特開平５−２３４６８６号公報）には、電気回路上の複数の点における電圧値を検出することにより、照明手段を含む回路における異常を検出する技術が記載されている。なお、当該公報に記載の技術では、複数のアナログスイッチが設けられ、電圧値の検出対象となる位置が、当該複数のアナログスイッチの切換態様を変更されることによって、変更されている。
【０００４】
また、特許文献２（特開平１１−２０４２８６号公報）には、放電灯点灯装置において、発振制御回路の発振状態を制御することにより、放電ランプに電力を供給する高周波電源の出力を変化させ、そして、放電ランプの点灯状態を検出する異常検出回路が設けられ、そして、異常点灯状態にあると判断されると高周波電源の出力を停止させる技術が開示されている。
【０００５】
また、特許文献３（特表２００７−５２１６１５号公報）には、ランプに電力を供給する電子バラストの制御に、過電流状態とランプ障害を検出するための電流検知フィードバックを含む技術が開示されている。
【０００６】
また、特許文献４（特開２０００−２９２８５７号公報）には、投射型映像表示装置において、マイコン（マイクロコンピュータ）が、ランプ切れを検出した場合には当該ランプ切れに対応した音声信号を発生させることにより、音声により異常を報知する技術が開示されている。
【０００７】
また、特許文献５（特開２００４−１５７２０１号公報）では、プロジェクタ装置において、光源の点灯状態を点灯回路手段の動作状態に基づいて監視し、光源に不具合が生じたときには、光源切換手段に光源を切換える動作を開始させる技術が開示されている。
【特許文献１】特開平５−２３４６８６号公報
【特許文献２】特開平１１−２０４２８６号公報
【特許文献３】特表２００７−５２１６１５号公報
【特許文献４】特開２０００−２９２８５７号公報
【特許文献５】特開２００４−１５７２０１号公報
【発明の開示】
【発明が解決しようとする課題】
【０００８】
しかしながら、従来の映像表示装置においては、照明手段への電力の供給が、最終的には、マイコンやＩＣ（Integrated Circuit）などの制御手段によって、一括して行なわれていた。
【０００９】
したがって、当該制御手段に誤動作があった場合、たとえば周辺の部材に異常があるなど、照明手段に電力が供給されるべきではない状態でも、照明手段に電力が供給される場合が想定される。
【００１０】
本発明は係る実情に鑑み考え出されたものであり、その目的は、制御手段の誤動作があった場合でも、誤って照明手段に電力が供給されることを確実に回避できる映像表示装置およびその制御方法を提供することである。
【課題を解決するための手段】
【００１１】
本発明に従った映像表示装置は、照明手段と、前記照明手段に電力を供給する電源部と、前記電源部から前記照明手段への電力の供給態様を制御する制御手段と、前記制御手段と独立した制御系統を構成し、前記照明手段への電力の供給の条件となる部材の状態を検出する検出手段と、前記制御手段から、前記電源部に前記照明手段へ電力を供給させるための信号が出力された場合、前記検出手段の検出出力が、前記部材の状態が前記条件を満たすものであると判断したときに、前記照明手段への電力の供給を許可する許可手段とを備える。
【００１２】
また、本発明の映像表示装置は、前記電源部と前記照明手段の間の電気回路の開閉状態を切換えるリレーをさらに備え、前記検出手段は、前記制御手段から前記リレーを閉状態にする信号が出力されているか否かを検出し、前記許可手段は、前記電源部に前記照明手段へ電力を供給させるための信号が出力された場合に、前記検出手段が前記制御手段から前記リレーを閉状態にする信号が出力されていることを検出したことを条件として、前記電源部から前記照明手段への電力の供給を許可することが好ましい。
【００１３】
また、本発明の映像表示装置は、前記照明手段が発する光を外部へ送る光学系部材をさらに備え、前記検出手段は、前記光学系部材が、前記照明手段の発する光を外部へ送るために適切な状態となったことか否かを判断し、前記許可手段は、さらに、前記光学系部材が前記適切な状態になったことを検出したことを条件として、前記電源部から前記照明手段への電力の供給を許可することが好ましい。
【００１４】
また、本発明の映像表示装置では、前記リレーは、前記光学系部材が前記適切な状態となったことを条件として、前記電気回路の閉状態を維持するための電力を供給されることが好ましい。
【００１５】
本発明に従った映像表示装置の制御方法は、照明手段と、前記照明手段に電力を供給する電源部と、前記電源部から前記照明手段への電力の供給態様を制御する制御手段とを備えた映像表示装置の制御方法であって、前記制御手段から、前記電源部に前記照明手段へ電力を供給させるための信号が出力されたか否かを判断するステップと、前記制御手段と独立した制御系統によって、前記照明手段への電力の供給の条件となる部材の状態を検出するステップと、前記制御手段から前記電源部に前記照明手段へ電力を供給させるための信号が出力された場合、前記部材の状態が前記条件を満たしたときに、前記電源部から前記照明手段へ電力を供給するステップとを備えることを特徴とする。
【発明の効果】
【００１６】
本発明によれば、電源部から照明手段への電力の供給態様を制御する制御手段とは独立した制御系統を構成する検出手段によって、照明手段への電力の供給の条件となる部材の状態が検出される。そして、制御手段から、電源部に照明手段へ電力を供給させる信号が出力された場合、さらに、当該検出手段によって上記部材の状態が上記条件を満たすような内容であることが検出されなければ、電源部から照明手段への電力の供給は許可されない。
【００１７】
つまり、制御手段からの信号だけでなく、当該制御手段とは独立した制御系統における検出結果に基づいて、照明手段への電力の供給の許可／不許可が決定されることになる。
【００１８】
したがって、検出手段によって検出される周辺部材の異常状態を照明手段への電力供給の制御に確実に反映させることができる。
【００１９】
また、当該制御手段とは独立した制御系統において検出される上記のような部材についての検出結果が、当該制御手段を経ず、直接、許可手段において、照明手段への電力供給の許可／不許可の決定に反映される。
【００２０】
したがって、たとえ制御手段に誤動作があった場合でも、上記のような部材に異常があるときには、確実に、照明手段に電力が供給されることを回避できる。
【発明を実施するための最良の形態】
【００２１】
図１は、本発明の映像表示装置の一実施の形態であるプロジェクタの主要部の構成を模式的に示す図である。
【００２２】
図１を参照して、プロジェクタは、光学エンジン２と、投射レンズ３とを含み、その外郭をキャビティ（図示略）で覆われている。なお、プロジェクタは、スピーカ等の音声を出力するための構成要素や、光学エンジン２の構成要素および音声出力手段を電気的に制御するための回路基板なども搭載されているが、図１では、これらを含む一部の構成要素の図示は省略されている。
【００２３】
光学エンジン２は、照明装置１０を含む。照明装置１０は、２つのランプ１０Ａ，１０Ｂと、ミラー１０Ｄの駆動等のためのミラーユニット（図２に示すミラーユニット１２０）を有する。ランプ１０Ａ，１０Ｂは、たとえば超高圧水銀ランプ、メタルハライドランプ、キセノンランプなどからなる。ランプ１０Ａ，１０Ｂからの光は、リフレクタの作用により、ほぼ平行光となって出射される。
【００２４】
ミラー１０Ｄは、同図Ｘ−Ｚ平面に平行に回動可能であり、ランプ１０Ａの起動時には図１に示されるように、ランプ１０Ａからの光をフライアイインテグレータ１１へと導く状態とされる。一方、ランプ１０Ｂの起動時には、ミラー１０Ｄは、同図Ｙ軸方向を回転軸として時計回りに９０°回動されて、ランプ１０Ｂからの光をフライアイインテグレータ１１へ導く状態とされる。
【００２５】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなるフライアイレンズを備え、液晶パネル１８，２４，３３に入射する光の光量分布が均一となるよう、照明装置１０から入射される光に光学作用を付与する。
【００２６】
ＰＢＳアレイ１２は、複数のＰＢＳと１／２波長板がアレイ上に配列されたものであり、フライアイインテグレータ１１から入射された光の偏光方向を１方向に揃える。コンデンサレンズ１３は、ＰＢＳアレイ１２から入射された光に集光作用を付与する。コンデンサレンズ１３を透過した光は、ダイクロイックミラー１４に入射する。
【００２７】
ダイクロイックミラー１４は、コンデンサレンズ１３から入射された光のうち、青色波長帯の光（以下、「Ｂ光」という）のみを透過し、赤色波長帯の光（以下、「Ｒ光」という）と緑色波長帯の光（以下、「Ｇ光」という）を反射する。ダイクロイックミラー１４を透過したＢ光は、ミラー１５に導かれ、そこで反射され、コンデンサレンズ１６に入射される。
【００２８】
コンデンサレンズ１６は、Ｂ光がほぼ平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム（以下、単に「プリズム」ともいう）２０に入射される。
【００２９】
ダイクロイックミラー１４によって反射された光のうちＧ光は、ダイクロイックミラー２１によって反射され、コンデンサレンズ２２に入射される。コンデンサレンズ２２は、Ｇ光がほぼ平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００３０】
ダイクロイックミラー２１を透過したＲ光は、コンデンサレンズ２６に入射される。コンデンサレンズ２６は、Ｒ光がほぼ平行光で液晶パネル３３に入射するよう、Ｒ光に光学作用を付与する。コンデンサレンズ２６を透過したＲ光は、光路長調整用のリレーレンズ２７，２９，３１と２つのミラー２８，３０からなる光路を進み、入射側偏光板３２を介して液晶パネル３３に入射される。液晶パネル３３は、赤色用の映像信号に応じて駆動され、その駆動情報に応じてＲ光を変調する。液晶パネル３３によって変調されたＲ光は、出射側偏光板３４を介して、ダイクロイックプリズム２０に入射される。
【００３１】
ダイクロイックプリズム２０は、液晶パネル１８，２４，３３によって変調されたＢ光，Ｇ光およびＲ光を色合成し、投射レンズ３へと入射させる。投射レンズ３は、投射光を被投射面上に結像させるためのレンズ群と、これらレンズ群の一部を光軸方向に変位させて投射画像のズーム状態およびフォーカス状態を調整するためのアクチュエータを備えている。ダイクロイックプリズム２０によって色合成された光は、投射レンズ３によって、スクリーン上に拡大投射される。
【００３２】
なお、本実施の形態のプロジェクタでは、投射レンズ３とダイクロイックプリズム２０との間に、シャッタ３Ａが配置されている。本実施の形態のプロジェクタでは、シャッタ３Ａを閉状態とすることにより、ランプ１０Ａまたはランプ１０Ｂが発する光の、投射レンズ３を介しての外部への出射を遮断できる。
【００３３】
図２は、本実施の形態のプロジェクタの主要部の制御ブロック図である。
図２を参照して、プロジェクタは、第１ランプ１０Ａ、第２ランプ１０Ｂ、これらのランプに高電圧の電力を供給するランプバラストユニット４００、単数または複数の制御基板を搭載されたメインユニット１００、ミラーユニット２００、リレーユニット３００、および入力装置５００を含む。
【００３４】
メインユニット１００は、プロジェクタの動作を全体的に制御するＣＰＵ（Central Processing Unit）１１０を含む。
【００３５】
入力装置５００は、外部からの操作を受付ける。入力装置５００は、たとえば、プロジェクタの外郭となる筐体の表面に設けられたボタンから構成されてもよいし、また、当該筐体とは離間して設けられたリモートコントローラにおけるソフトキーやタッチパネル上のボタン等によって構成されてもよい。入力装置５００に対して操作がなされると、当該操作に応じた情報が、入力装置５００からＣＰＵ１１０へ入力される。
【００３６】
ミラーユニット２００は、上記したミラー１０Ｄの他に、ミラー１０Ｄを駆動する駆動機構（図示略）を含む。さらに、ミラーユニット２００は、第１ランプ１０Ａの発する光をプリズム２０へ送る状態にあるか否かを検出する第１検出スイッチ２０１と、第２ランプ１０Ｂが発する光をプリズム２０へ送る状態にあるか否かを検出する第２検出スイッチ２０２とを含む。第１検出スイッチ２０１と第２検出スイッチ２０２は、ＣＰＵ１１０とは独立して、ミラー１０Ｄの状態を検出する。なお、ＣＰＵ１１０とは独立して、とは、第１検出スイッチ２０１と第２検出スイッチ２０２による検出動作がＣＰＵ１１０の動作内容に影響を受けないものであることを意味している。
【００３７】
本明細書では、以下、ミラー１０Ｄについて、第１ランプ１０Ａの発する光をプリズム２０へ送る状態を第１の状態といい、第２ランプ１０Ｂが発する光をプリズム２０へ送る状態を第２の状態という。
【００３８】
リレーユニット３００は、ランプバラストユニット４００と第１ランプ１０Ａとの間の電気的接続の開閉を切換える第１リレー３０１と、ランプバラストユニット４００と第２ランプ１０Ｂとの間の電気回路の開閉を切換える第２リレー３０２を含む。
【００３９】
第１リレー３０１および第２リレー３０２は、たとえば有接点のリレーから構成される。
【００４０】
第１リレー３０１は、第１検出スイッチ２０１が回路を閉状態とすると、第１リレー用電源１２１から、第１検出スイッチ２０１を介して、駆動電力を供給される状態となる。第１検出スイッチ２０１は、ミラー１０Ｄが上記した第１の状態となったときに、閉状態とされる。
【００４１】
つまり、ミラー１０Ｄが第１の状態となると、第１検出スイッチ２０１が第１リレー用電源１２１と第１リレー３０１とを結ぶ電気回路を閉状態とし、これにより、第１リレー３０１に第１リレー用電源１２１から電力が供給される。第１リレー３０１は、電力を供給された状態において、ＣＰＵ１１０から回路を閉状態とする信号（第１リレー制御信号：Ｈ）を出力されると、ランプバラストユニット４００と第１ランプ１０Ａとを繋ぐ電気回路を閉状態とする。これにより、第１ランプ１０Ａに電力が供給される。
【００４２】
一方、第２リレー３０２は、第２検出スイッチ２０２が回路を閉状態とすると、第２リレー用電源１２２から、第２検出スイッチ２０２を介して、駆動電力を供給される状態となる。第２検出スイッチ２０２は、ミラー１０Ｄが上記した第２の状態となったときに、閉状態とされる。
【００４３】
つまり、ミラー１０Ｄが第２の状態となると、第２検出スイッチ２０２が第２リレー用電源１２２と第２リレー３０２とを結ぶ電気回路を閉状態とし、これにより、第２リレー３０２に第２リレー用電源１２２から電力が供給される。第２リレー３０２は、電力を供給された状態において、ＣＰＵ１１０から回路を閉状態とする信号（第１リレー制御信号：Ｈ）を出力されると、ランプバラストユニット４００と第２ランプ１０Ａとを繋ぐ電気回路を閉状態とする。これにより、第２ランプ１０Ｂに電力が供給される。
【００４４】
ランプバラストユニット４０は、ＣＰＵ１１０と通信可能に構成されている。ＣＰＵ１１０は、ランプバラストユニット４００と通信することにより、その供給電力等を検出し、当該検出結果に基づいてランプバラストユニット４００の異常の有無を検知する。検知結果は、ＣＰＵ１１０内で処理され、後述するＡＮＤ回路１５３からランプバラストユニット４００へのバラスト制御信号へと反映される。なお、図２では、ＣＰＵ１１０における上記検知結果が「バラスト異常検知結果」として示されている。バラスト異常検知結果は、正常な場合（つまり、異常が検知されない場合）には値Ｈとして処理され、異常が検知された場合には値Ｌとして処理される。
【００４５】
メインユニット１００には、第１検出スイッチ２０１の開閉に基づき第１リレー３０１に電力が供給されているか否かを検出するための電圧レベルシフトバッファ１３１が設けられている。また、メインユニット１００には、第２検出スイッチ２０２の開閉に基づき第２リレー３０に二電力が供給されているか否かを検出する電圧レベルシフトバッファ１３２が設けられている。
【００４６】
電圧レベルシフトバッファ１３１と電圧レベルシフトバッファ１３２の検出出力は、それぞれ第１検出信号と第２検出信号としてＣＰＵ１１０へ入力される。また、これらの検出信号は、ＮＡＮＤ回路１５１に入力される。ＮＡＮＤ回路１５１は、その演算結果を、ＡＮＤ回路１５３に、監視結果Ａとして出力する。
【００４７】
つまり、本実施の形態では、第１検出信号と第２検出信号は、ＣＰＵ１１０に入力されるとともに、当該ＣＰＵ１１０とは独立して演算を行なうＮＡＮＤ回路１５１に入力され、当該ＮＡＮＤ回路における演算結果がＮＡＮＤ回路１５１に出力される。ここで、「ＣＰＵ１１０とは独立して」とは、ＮＡＮＤ回路１５１の演算処理がＣＰＵ１１０の動作内容に影響を受けないものであることを意味している。
【００４８】
ＣＰＵ１１０は、メモリ１１１に記憶されたプログラムを実行することにより、種々の制御を行なう。なお、当該プログラムは、プロジェクタ出荷時からメモリ１１１内に記録されていても良いし、プロジェクタが通信機能を備える場合に、ネットワーク等を介してダウンロードされてメモリ１１１内に記録されても良いし、または、プロジェクタが当該プロジェクタから離間した記録媒体に記録された情報の読込みが可能な場合に、当該記録媒体に記録されていたものをメモリ１１１内に書込むことにより記録されても良い。
【００４９】
ＣＰＵ１１０が、入力装置５００を介した外部からの情報の入力等に基づき第１ランプ１０Ａを点灯させる際には、ＣＰＵ１１０は、ミラー１０Ｄを上記の第１の状態にするようにミラーユニット２００に制御信号を出力するとともに、第１ランプ１０Ａを点灯させるための処理を実行する。
【００５０】
第１ランプ１０Ａを点灯させるための処理としては、具体的には、ＣＰＵ１１０は、第１リレー３０１を閉状態とするような第１リレー制御信号を出力する。そして、ランプバラストユニット４００に対して、リレーユニット３００への電力の供給を実行させるようなバラスト制御信号を出力する。
【００５１】
本明細書では、第１リレー制御信号とは、ＣＰＵ１１０からリレーユニット３００に対して出力される、第１リレー３０１の開閉状態を指示するための信号である。Ｈ（Ｈｉｇｈ）とＬ（Ｌｏｗ）のいずれかの値をとる。Ｈは、第１リレー３０１をオンして、第１リレー３０１に回路を閉じさせるための信号である。Ｌは、第１リレー３０１に回路を開放させるための信号である。
【００５２】
なお、第２リレー制御信号とは、ＣＰＵ１１０からリレーユニット３００に対して出力される、第２リレー３０２の開閉状態を指示するための信号である。第２リレー制御信号は、ＨとＬのいずれかの値をとる。Ｈは、第２リレー３０２をオンして、第２リレー３０２に回路を閉じさせるための信号である。Ｌは、第２リレー３０２に回路を開放させるための信号である。
【００５３】
ＣＰＵ１１０から出力される第１リレー制御信号と第２リレー制御信号とは、リレーユニット３００へ出力されるとともに、ＮＡＮＤ回路１５２にも出力される。ＮＡＮＤ回路１５２は、これらの制御信号に対して演算を行ない、その結果を、監視結果Ｂとして、ＡＮＤ回路１５３に出力する。
【００５４】
ＣＰＵ１１０は、第１ランプ１０Ａまたは第２ランプ１０Ｂを点灯させるときに、バラスト制御信号を出力する。バラスト制御信号は、ランプバラストユニット４００に対する制御信号であって、ＣＰＵ１１０からＡＮＤ回路１５３に出力される。バラスト制御信号は、ＨとＬのいずれかの値をとる。Ｈは、ランプバラストユニット４００からリレーユニット３００への電力の供給を行なわせるための信号である。Ｌは、当該電力の供給を停止させるための信号である。そして、ＣＰＵ１１０が出力するバラスト制御信号は、監視結果Ｃとして、ＡＮＤ回路に出力される。
【００５５】
ＡＮＤ回路１５３は、監視結果Ａと監視結果Ｂと監視結果Ｃの入力を受け、これらに対して演算を実行し、その結果に基づいて、ＨまたはＬのいずれかの信号を出力する。ＡＮＤ回路から出力される信号は、ランプバラストユニット４００へ入力される。
【００５６】
ランプバラストユニット４００は、ＡＮＤ回路１５３から入力される信号がＨであれば、リレーユニット３００への電力の供給を実行し、Ｌであれば、当該電力の供給を停止する。
【００５７】
表１に、第１検出信号と第２検出信号の内容について説明する。
【００５８】
【表１】
2010134251.tif 000003
【００５９】
第１検出信号は、第１検出スイッチ２０１がオンされていれば、つまり、ミラー１０Ｄが第１の状態にあれば、その値はＨとなる。そして、それ以外のときには、第１検出信号はＬとなる。
【００６０】
第２検出信号は、ミラー１０Ｄが第２の状態であるとに、Ｈとされる。そして、第２検出信号は、それ以外のときには、Ｌとなる。
【００６１】
ミラー１０Ｄが第１の状態と第２の状態との間で状態を切換えられるときの一例として、第１の状態から第２の状態へ状態が切換えられる際の第１検出信号と第２検出信号の変化について、表１を参照して説明する。
【００６２】
ミラー１０Ｄが第１ランプ１０Ａから発する光をプリズム２０へ送る第１の状態（表１中の「第１ランプ側」）にあるときには、第１検出スイッチ２０１はオンされているが、第２検出スイッチ２０２はオフであるため、第１検出信号はＨであるが、第２検出信号はＬである。
【００６３】
ミラー１０Ｄが第１の状態から第２の状態へ切換えられている途中（表１中の「切換動作中」）では、ミラー１０Ｄは、第１の状態でも第２の状態でもないため、第１検出スイッチ２０１と第２検出スイッチ２０２は、いずれも、オフされている。これにより、このときの第１検出信号および第２検出信号は、いずれもＬとなる。
【００６４】
そして、ミラー１０Ｄが第２の状態となると（表１中の「第２ランプ側」）、第１検出スイッチ２０１はオフされたままであるが、第２検出スイッチ２０２は、オンされる。
【００６５】
これにより、この状態では、第１検出信号はＬであるが、第２検出信号はＨとなる。
次に、ＮＡＮＤ回路１５１における、入力信号と演算結果の関係を、表２を参照して説明する。
【００６６】
【表２】
2010134251.tif 000004
【００６７】
表２を参照して、ＮＡＮＤ回路１５１に入力される第１検出信号と第２検出信号の組合せが、いずれもがＬまたはいずれか一方がＨで他方がＬである場合には、ＮＡＮＤ回路１５１は、監視結果Ａとして、ＨをＡＮＤ回路１５３に出力する。一方、第１検出信号と第２検出信号のいずれもＨである場合には、ＮＡＮＤ回路１５１は、監視結果Ａとして、ＬをＡＮＤ回路１５３に出力する。
【００６８】
第１検出信号と第２検出信号のいずれもがＨであるということは、第１検出スイッチ２０１および第２検出スイッチ２０２の双方がオンされていることに相当し、これは、ミラー１０Ｄが第１の状態と第２の状態の双方を取っていることに相当する。
【００６９】
ミラー１０Ｄは、回動することにより、第１の状態または第２の状態のいずれかを取るのであって、同時に第１の状態と第２の状態を取ることはできない。
【００７０】
ＮＡＮＤ回路１５１では、第１検出信号と第２検出信号の双方がＨである場合、つまり、ミラー１０Ｄが第１の状態と第２の状態の双方を取っているとされる場合には、異常が発生しているとして、監視結果ＡとしてＬを出力する。
【００７１】
次に、表３を参照して、ＮＡＮＤ回路１５２における入力信号と演算結果との関係を説明する。
【００７２】
【表３】
2010134251.tif 000005
【００７３】
表３を参照して、ＮＡＮＤ回路１５２は、第１リレー制御信号と第２リレー制御信号のいずれもがＬまたはいずれか一方がＬで他方がＨである場合に、正常にリレーが制御されているとしてＨを出力し、いずれの信号もＨである場合には、リレーに対する制御に異常があるとしてＬを出力する。
【００７４】
本実施の形態のプロジェクタでは、ミラー１０Ｄが第１ランプ１０Ａまたは第２ランプ１０Ｂのいずれかの光のみをプリズム２０へ送ることができるように構成されているため、ランプバラストユニット４００からの電力供給は、第１ランプ１０Ａまたは第２ランプ１０Ｂのいずれか一方とされる。これに対し、第１リレー制御信号と第２リレー制御信号のいずれもがＨであるということは、第１リレー３０１と第２リレー３０２の双方が閉状態とされる制御信号が出力されていることになる。したがって、このような場合には、ＮＡＮＤ回路１５２は、ＡＮＤ回路１５３に、Ｌを出力する。そして、これ以外の場合には、ＮＡＮＤ回路１５２は、Ｈを、ＡＮＤ回路１５３に監視結果Ｂとして出力する。
【００７５】
次に、ＣＰＵ１１０が出力するバラスト制御信号の内容について説明する。
ＣＰＵ１１０は、上記したような入力装置５００からの入力などに基づいて第１ランプ１０Ａまたは第２ランプ１０Ｂの点灯の要否を判断し、点灯が必要であると判断した方のランプを点灯させるべく、第１および第２リレー制御信号を出力し、その上で、バラスト制御信号を出力する。なお、ＣＰＵ１１０は、当該制御信号を、第１検出信号、第２検出信号およびバラスト異常検知結果の内容に基づいて生成する。生成されるバラスト制御信号の内容を、表４に示す。
【００７６】
【表４】
2010134251.tif 000006
【００７７】
表４を参照して、第１検出信号と第２検出信号のいずれもがＬであり、かつ、バラスト異常検知結果がＨである場合、つまり、ミラー１０Ｄが第１の状態でも第２の状態でもなく、かつ、バラスト異常検知結果が正常であると判断される場合には、バラスト制御信号はＨとされる。
【００７８】
また、第１検出信号と第２検出信号のいずれか一方がＨであり他方がＬであり、かつ、バラスト異常検知結果がＨである場合、つまり、ミラー１０Ｄが第１の状態または第２の状態のいずれかであることが検出されており、かつ、バラスト異常検知結果が正常である場合も、バラスト制御信号はＨとされる。
【００７９】
一方、第１検出信号と第２検出信号のいずれもがＨとされる場合には、ミラー１０Ｄが第１の状態でありかつ第２の状態であることが検出されていることとなるため、異常であるとして、バラスト制御信号はＬとされる。また、バラスト異常検知結果がＬと判断された場合には、ランプバラストユニット４００の状態がランプの点灯には不適切であるため、異常であるとして、バラスと制御信号はＬとされる。
【００８０】
次に、ＡＮＤ回路１５３が出力するバラスト制御信号と上記した監視結果Ａ〜監視結果Ｃとの関係について、表５を参照して説明する。
【００８１】
【表５】
2010134251.tif 000007
【００８２】
表５を参照して、ＡＮＤ回路１５３は、監視結果Ａ〜監視結果ＣのいずれもがＨである場合にのみ、ランプバラストユニット４００に対して、バラスト制御信号としてＨを出力する。つまり、ＮＡＮＤ回路１５１とＮＡＮＤ回路１５２とＣＰＵ１１０のいずれにおいても、異常が検出されなかった場合にのみ、ＡＮＤ回路１５３は、ランプバラストユニット４００に対して、リレーユニット３００への電力の供給を許可することとなる。
【００８３】
以上説明した本実施の形態では、ＣＰＵ１１０がバラスト制御信号を出力した場合、当該制御信号は、ランプバラストユニット４００に直接入力されず、ＡＮＤ回路１５３に、監視結果Ｃとして入力される。また、ＡＮＤ回路１５３には、ＮＡＮＤ回路１５１から、第１検出スイッチ２０１と第２検出スイッチ２０２の検出結果に基づいた、ミラー１０Ｄの状態についての検出結果（監視結果Ａ）が入力される。さらに、ＡＮＤ回路１５３には、ＮＡＮＤ回路１５２から、ＣＰＵ１１０からリレーユニット３００に出力される第１リレー３０１および第２リレー３０２の開閉制御についての制御信号の内容（監視結果Ｂ）が入力される。そして、ＡＮＤ回路１５３は、入力される監視結果Ａ〜監視結果Ｃのいずれもが、ランプバラストユニット４００からリレーユニット３００に電力を供給するのに適切な内容である場合にのみ、ランプバラストユニット４００へ電力を供給することを指示する信号を出力する。
【００８４】
本実施の形態では、バラスト制御信号を出力するＣＰＵ１１０により、第１ランプ１０Ａまたは第２ランプ１０Ｂへの電力の供給態様を制御する制御手段が構成されている。
【００８５】
なお、監視結果Ａの元となる検出結果を出力する第１検出スイッチ２０１と第２検出スイッチ２０２、および、監視結果Ｂを出力するＮＡＮＤ回路１５２は、いずれも、監視結果Ｃを出力するＣＰＵ１１０とは独立して、検出動作を行ない、そして、信号を出力する。これにより、本実施の形態では、第１検出スイッチ２０１と第２検出スイッチ２０２およびこれらからの検出出力に基づいて監視結果Ａを出力するＮＡＮＤ回路１５１、ならびに、監視結果Ｂを出力するＮＡＮＤ回路１５２により、検出手段が構成されていることになる。
【００８６】
本実施の形態では、ＣＰＵ１１０からのバラスト制御信号の出力のためのメモリ１１１やＣＰＵ１１０によるＣＰＵ制御系統９０１と、ＮＡＮＤ回路１５１とＮＡＮＤ回路１５２を含み、ＣＰＵ１１０から独立して監視結果Ｂ，Ｃを出力する電気的制御系統９０２と、ミラー１０Ｄの物理的な状態を検出するための機械的制御系統９０３とが、組み合わされて、リレーユニット３００への給電制御、つまり、第１ランプ１０Ａおよび第２ランプ１０Ｂへの給電制御が実現されている。本発明に従った映像表示装置は、このように、互いに独立した異なる種類の制御系統を含むようにシステムを構築することによって、ＣＰＵ１１０に信号の誤送信があっても、誤ってランプバラストユニット４００がリレーユニット３００へ電力を供給することを回避できる。なお、本発明に従った映像表示装置のシステム構成は、このように制御系統を混成させることに限定されない。ＣＰＵを複数設ける等、同じ種類の制御系統を複数設けて、つまり、制御系統を多重化させてシステムを構成されても良い。
【００８７】
また、本実施の形態では、監視結果Ａおよび監視結果Ｂを出力する論理回路として、それぞれＮＡＮＤ回路のみを用いたが、他の回路を用いても良い。ＣＰＵ１１０から独立した電気的な制御系統に関して、両方の監視結果を出力する回路をＥＸＯＲ回路とした例について、以下に説明する。
【００８８】
ＮＡＮＤ回路１５１が用いられれば表２に示したように第１検出信号と第２検出信号のいずれか一方がＬであれば監視結果ＡがＨとされたところ、監視結果Ａを出力する論理回路としてＥＸＯＲ回路を用いた場合には、第１検出信号と第２検出信号の両方がＬのときにのみ監視結果ＡがＨとなる。
【００８９】
また、ＮＡＮＤ回路１５２が用いられれば表３に示したように第１リレー制御信号と第２リレー制御信号のいずれか一方がＬであれば監視結果ＢがＨとされたところ、監視結果Ｂを出力する論理回路としてＥＸＯＲ回路を用いた場合には、第１リレー制御信号と第２リレー制御信号の両方がＬのときにのみ監視結果ＢがＨとなる。
【００９０】
このように監視結果Ａおよび監視結果Ｂが出力されることにより、ミラー１０Ｄの回動中やリレー（第１リレー３０１または第２リレー３０２）の接点を開放状態に制御している期間など、ランプ（第１ランプ１０Ａまたは第２ランプ１０Ｂ）が消灯されるように制御する必要がある場合に、電磁気的なノイズのＣＰＵ１１０やプロジェクタ内のその他の回路への混入やＣＰＵ１１０の動作不良などが原因で、監視結果ＣがＨとなる事態が発生したとしても、監視結果Ａおよび監視結果ＢはＬとなるため、ＡＮＤ回路１５３から出力されるバラスト制御信号はＬとなり、ＡＮＤ回路１５３は、ランプを消灯状態に制御できる。これにより、万が一上記した事態が発生しても誤ってリレーユニット３００へ電力が供給されることを回避できる。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９２】
【図１】本発明の映像表示装置の一実施の形態であるプロジェクタの主要部の構成を模式的に示す図である。
【図２】図１のプロジェクタの制御ブロック構成を模式的に示す図である。
【符号の説明】
【００９３】
２  光学エンジン、３  投射レンズ、３Ａ  シャッタ、１０  照明装置、１０Ａ  第１ランプ、１０Ｂ  第２ランプ、１０Ｄ，１５，２８，３０  ミラー、１１  フライアイインテグレータ、１２  ＰＢＳアレイ、１３，１６，２２、３１  コンデンサレンズ、１４  ダイクロイックミラー、１７，２３，３２  入射側偏光板、１８，２４，３３  液晶パネル、１９，２５，３４  出射側偏光板、２０  プリズム、２１  ダイクロイックミラー、１００  メインユニット、１１０  ＣＰＵ、１１  メモリ、１２１  第１リレー用電源、１２２  第２リレー用電源、１３１，１３２  電圧レベルシフトバッファ、１５１，１５２  ＮＡＮＤ回路、１５３  ＡＮＤ回路、２００  ミラーユニット、２０１  第１検出スイッチ、２０２  第２検出スイッチ、３００  リレーユニット、３０１  第１リレー、３０２  第２リレー、４００  ランプバラストユニット、５００  入力装置、９０１  ＣＰＵによる制御系統、９０２  電気的制御系統、９０３  機械的制御系統。
【図１】
2010134251.tif 000008
【図２】
2010134251.tif 000009